【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
貨物を仕分けるための方法であって、
割り当て対象オーダーグループ内の各割り当て対象オーダーに含まれる貨物情報を取得することと、
ターゲット仕分け手段に関連付けられる仕分け対象オーダーに含まれる貨物情報を取得することと、
各割り当て対象オーダーに含まれる貨物情報と前記仕分け対象オーダーに含まれる貨物情報とのマッチング度に基づいて、前記割り当て対象オーダーグループから割り当て対象オーダーを選択することと、
選択した割り当て対象オーダーを前記ターゲット仕分け手段に割り当てることと、
を備える、ことを特徴とする方法。
【請求項２】
前記の、割り当て対象オーダーグループ内の各割り当て対象オーダーに含まれる貨物情報を取得することを行う前に、前記方法は、
割り当て対象オーダーセット内の各割り当て対象オーダーの、優先度情報と時間情報を含むオーダー情報を取得することと、
前記優先度情報および前記時間情報が示す時間と現時点との時間間隔が所定時間閾値よりも大きいか否かに応じて、前記割り当て対象オーダーセット内の各割り当て対象オーダーをグループ別に分けて割り当て対象オーダーグループを取得することと、
をさらに備える、ことを特徴とする請求項１に記載の方法。
【請求項３】
前記の、前記優先度情報および前記時間情報が示す時間と現時点との時間間隔が所定時間閾値よりも大きいか否かに応じて、前記割り当て対象オーダーセット内の各割り当て対象オーダーをグループ別に分けて割り当て対象オーダーグループを取得することは、
前記割り当て対象オーダーセット内において、優先度情報と予め設定した情報がマッチングした割り当て対象オーダー、または時間情報が示す時間と現時点との時間間隔が所定時間閾値以下である割り当て対象オーダーを検索することと、
優先度情報と予め設定した情報がマッチングした割り当て対象オーダー、または時間情報が示す時間と現時点との時間間隔が所定時間閾値以下である割り当て対象オーダーが見つけたことに応答して、見つけた割り当て対象オーダーを割り当て対象オーダーグループ内のオーダーとして決定することと、
優先度情報と予め設定した情報がマッチングした割り当て対象オーダー、または時間情報が示す時間と現時点との時間間隔が所定時間閾値以下である割り当て対象オーダーが見つけなかったことに応答して、前記割り当て対象オーダーセット内のオーダーを割り当て対象オーダーグループ内のオーダーとして決定することと、
を備える、ことを特徴とする請求項２に記載の方法。
【請求項４】
前記ターゲット仕分け手段は、
各仕分け手段に関連付けられる仕分け対象オーダーの数を取得するステップと、
仕分け対象オーダーの数が最も少ない仕分け手段をターゲット仕分け手段として決定するステップと、
により決定される、ことを特徴とする請求項１に記載の方法。
【請求項５】
前記の、割り当て対象オーダーグループ内の各割り当て対象オーダーに含まれる貨物情報を取得することは、
仕分け対象オーダーの数が仕分け対象オーダーの閾値よりも小さい仕分け手段が存在するか否かを判定することと、
仕分け対象オーダーの数が前記仕分け対象オーダーの閾値よりも小さい仕分け手段が存在していないと判定されたことに応答して、割り当て対象オーダーグループ内の各割り当て対象オーダーに含まれる貨物情報を取得することと、
を備える、ことを特徴とする請求項１に記載の方法。
【請求項６】
前記各割り当て対象オーダーに含まれる貨物情報と前記仕分け対象オーダーに含まれる貨物情報とのマッチング度は、
各割り当て対象オーダーに含まれる貨物情報と前記仕分け対象オーダーに含まれる貨物情報に基づいて、各割り当て対象オーダーとターゲット仕分け手段に関連付けられる仕分け対象オーダーとの貨物種類の重なり合い種類数を確定するステップと、
各割り当て対象オーダーに含まれる貨物情報に基づいて、各割り当て対象オーダーに含まれる貨物種類の数を確定するステップと、
確定された貨物種類の重なり合い種類数と確定された貨物種類の数に基づいて、各割り当て対象オーダーに含まれる貨物情報と仕分け対象オーダーに含まれる貨物情報とのマッチング度を確定するステップと、
により確定される、ことを特徴とする請求項１〜５のいずれか一項に記載の方法。
【請求項７】
前記の、確定された貨物種類の重なり合い種類数と確定された貨物種類の数に基づいて、各割り当て対象オーダーに含まれる貨物情報と仕分け対象オーダーに含まれる貨物情報とのマッチング度を確定することは、
確定された貨物種類の重なり合い種類数と確定された貨物種類の数の二乗との比率を算出することと、
算出した比率を、各割り当て対象オーダーに含まれる貨物情報と仕分け対象オーダーに含まれる貨物情報とのマッチング度として確定することと、
を備える、ことを特徴とする請求項６に記載の方法。
【請求項８】
貨物を仕分けるための装置であって、
割り当て対象オーダーグループ内の各割り当て対象オーダーに含まれる貨物情報を取得するための第１取得手段と、
ターゲット仕分け手段に関連付けられる仕分け対象オーダーに含まれる貨物情報を取得するための第２取得手段と、
各割り当て対象オーダーに含まれる貨物情報と前記仕分け対象オーダーに含まれる貨物情報とのマッチング度に基づいて、前記割り当て対象オーダーグループから割り当て対象オーダーを選択するための選択手段と、
選択した割り当て対象オーダーを前記ターゲット仕分け手段に割り当てるための割り当て手段と、
を備える、ことを特徴とする装置。
【請求項９】
前記装置は、
割り当て対象オーダーセット内の各割り当て対象オーダーの、優先度情報と時間情報を含むオーダー情報を取得するための第３取得手段と、
前記優先度情報および前記時間情報が示す時間と現時点との時間間隔が所定時間閾値よりも大きいか否かに応じて、前記割り当て対象オーダーセット内の各割り当て対象オーダーをグループ別に分けて割り当て対象オーダーグループを取得するためのグループ化手段と、
をさらに備える、ことを特徴とする請求項８に記載の装置。
【請求項１０】
前記グループ化手段はさらに、
前記割り当て対象オーダーセット内において、優先度情報と予め設定した情報がマッチングした割り当て対象オーダー、または時間情報が示す時間と現時点との時間間隔が所定時間閾値以下である割り当て対象オーダーを検索し、
優先度情報と予め設定した情報がマッチングした割り当て対象オーダー、または時間情報が示す時間と現時点との時間間隔が所定時間閾値以下である割り当て対象オーダーが見つけたことに応答して、見つけた割り当て対象オーダーを割り当て対象オーダーグループ内のオーダーとして決定し、
優先度情報と予め設定した情報がマッチングした割り当て対象オーダー、または時間情報が示す時間と現時点との時間間隔が所定時間閾値以下である割り当て対象オーダーが見つけなかったことに応答して、前記割り当て対象オーダーセット内のオーダーを割り当て対象オーダーグループ内のオーダーとして決定する、ように構成されることを特徴とする請求項９に記載の装置。
【請求項１１】
前記装置は、ターゲット仕分け手段決定手段をさらに備え、
前記ターゲット仕分け手段決定手段は、
各仕分け手段に関連付けられる仕分け対象オーダーの数を取得し、
仕分け対象オーダーの数が最も少ない仕分け手段をターゲット仕分け手段として決定するために使用される、
ことを特徴とする請求項８に記載の装置。
【請求項１２】
前記第１取得手段は、さらに
仕分け対象オーダーの数が仕分け対象オーダーの閾値よりも小さい仕分け手段が存在するか否かを判定し、
仕分け対象オーダーの数が前記仕分け対象オーダーの閾値よりも小さい仕分け手段が存在していないと判定されたことに応答して、割り当て対象オーダーグループ内の各割り当て対象オーダーに含まれる貨物情報を取得する、
ように構成される、ことを特徴とする請求項８に記載の装置。
【請求項１３】
前記装置は、マッチング度確定手段をさらに備え、
前記マッチング度確定手段は、
各割り当て対象オーダーに含まれる貨物情報と前記仕分け対象オーダーに含まれる貨物情報に基づいて、各割り当て対象オーダーとターゲット仕分け手段に関連付けられる仕分け対象オーダーとの貨物種類の重なり合い種類数を確定し、
各割り当て対象オーダーに含まれる貨物情報に基づいて、各割り当て対象オーダーに含まれる貨物種類の数を確定し、
確定された貨物種類の重なり合い種類数と確定された貨物種類の数に基づいて、各割り当て対象オーダーに含まれる貨物情報と仕分け対象オーダーに含まれる貨物情報とのマッチング度を確定するために使用される、
ことを特徴とする請求項８〜１２のいずれか一項に記載の装置。
【請求項１４】
前記マッチング度確定手段は、さらに
確定された貨物種類の重なり合い種類数と確定された貨物種類の数の二乗との比率を算出し、
算出した比率を、各割り当て対象オーダーに含まれる貨物情報と仕分け対象オーダーに含まれる貨物情報とのマッチング度として確定するように構成される、
ことを特徴とする請求項１３に記載の装置。
【請求項１５】
１つまたは複数のプロセッサと、
１つまたは複数のプログラムを記憶するための記憶装置と、を備える設備であって、
前記１つまたは複数のプログラムが前記１つまたは複数のプロセッサによって実行される時、前記１つまたは複数のプロセッサに請求項１〜７のいずれか一項に記載の方法を実現させる、
ことを特徴とする設備。
【請求項１６】
コンピュータプログラムが記憶されるコンピュータ可読記憶媒体であって、
該プログラムがプロセッサによって実行される時、請求項１〜７のいずれか一項に記載の方法を実現する、ことを特徴とするコンピュータ可読記憶媒体。
【請求項１７】
コンピュータプログラムであって、
前記コンピュータプログラムがプロセッサにより実行されると、請求項１〜７のいずれか一項に記載の方法を実現するコンピュータプログラム。